(57)【要約】      （修正有）【課題】エアーピストンの外気導入開口からの異物の侵入を防止する。【解決手段】容器１の口部に固定保持されるベースキャップ２と、容器内の内容物と外気をそれぞれ別個に吸引、加圧、圧送する２つのポンプ３と、押し込み及び復帰動作を繰り返してポンプを作動させて各排出経路を経た内容物と外気をそれぞれ合流空間内で混合、発泡させて外界に噴出させるノズル付きの押圧ヘッド５とを備えたフォーマーディスペンサにおいて、外気を吸引、加圧、圧送するポンプは、単一のシリンダを形成する大径筒部３ｂと、押圧ヘッド５の押し込みとその復帰動作に合わせて摺動するエアーピストン３ｇとを備えたものとし、該エアーピストン３ｇの基部の少なくとも１箇所に、サイズの小さな孔を複数集合させ押圧ヘッドの復帰動作に際して大径筒部３ｂ内に外気を導入する細孔群体４を設ける。【選択図】        図１
2005013945.tif 000002
【特許請求の範囲】
【請求項１】
容器の口部に固定保持されるベースキャップと、このベースキャップの下面に垂下され容器内の内容物と外気をそれぞれ別個に吸引、加圧、圧送する２つのポンプと、これらのポンプの出側経路を合流させる合流空間を区画形成するとともにその押し込み及び復帰動作を繰り返してポンプを作動させて各排出経路を経た内容物と外気をそれぞれ合流空間内で混合、発泡させて外界に噴出させるノズル付きの押圧ヘッドとを備えたフォーマーディスペンサであって、
前記ポンプのうち、外気を吸引、加圧、圧送するポンプは、内容物を吸引、加圧、圧送するポンプに一体的につながってそれらとともに単一のシリンダを形成する大径筒部と、この大径筒部の内側に配置され押圧ヘッドの押し込みとその復帰動作に合わせて摺動するエアーピストンとを備え、
該エアーピストンの基部の少なくとも１箇所に、サイズの小さな孔を複数集合させ押圧ヘッドの復帰動作に際して大径筒部内に外気を導入する細孔群体を設けたことを特徴とするフォーマーディスペンサ。
【請求項２】
サイズの小さいな孔がレーザーによって穿孔されたものである請求項１記載のフォーマーディスペンサ。
【請求項３】
サイズの小さな孔が金型によって形成されたものである請求項１記載のフォーマーディスペンサ。
【請求項４】
細孔群体がメッシュの溶着体若しくはメッシュを保持し開口部において固定されるアタッチメントからなる請求項１記載のフォーマーディスペンサ。
【発明の詳細な説明】
【０００１】
【発明の属する技術分野】
本発明は、容器内の内容物を外気と混在させ泡にして噴出させるのに好適なフォーマーディスペンサに関するものであり、とくに、外気を吸引、加圧、圧送するのに使用するポンプのエアーピストンにつき、その外気導入用開口からのゴミ等の異物の侵入を防止してシール性の低下や液漏れ、泡の形態不良等を有効に回避しようとするものである。
【０００２】
【従来の技術】
洗顔料や整髪剤等を充填した容器では、内容物の泡立て動作を省略して簡便な使用を図る観点から容器内の内容物を直接泡にして噴出させることができるフォーマーディスペンサを装備したものが多用されている。
【０００３】
かかるディスペンサは、容器の口部に装着されるベースキャップに、内容物の吸引、加圧、圧送を行うピストンと、外気の吸引、加圧、圧送を行うピストン（エアーピストン）をそれぞれ同心の直列配置にして組み入れた単一のシリンダからなるポンプが設けられており、前記ベースキャップに設けられたノズル付きの押圧ヘッドを押し込んでポンプ内の各ピストンを往復移動させ内容物と外気をそれぞれ各シリンダ内に吸引、加圧、圧送することでポンプ出側の合流空間で相互に混合し、メッシュリング等の発泡部材を通すことで内容物を泡にして外部に噴出させるようになっている（例えば特許文献１参照）。
【０００４】
【特許文献１】
特開平８−２３０９６１号公報
【０００５】
ところで、従来の泡ディスペンサは、エアーピストンに設けられた外気導入開口を通してシリンダ内にゴミ等の異物が入り込む可能性が存在しており、この場合シール部分における該異物の噛み込によってシール性が劣化し、液漏れが発生したり内容物の発泡形態に悪影響を与える不具合があった。
【０００６】
【発明が解決しようとする課題】
本発明の課題は、とくに、エアーピストンの外気導入開口からの異物の侵入を防止して良好な形態になる泡を安定して排出できる新規なディスペンサを提案するところにある。
【０００７】
【課題を解決するための手段】
本発明は、容器の口部に固定保持されるベースキャップと、このベースキャップの下面に垂下され容器内の内容物と外気をそれぞれ別個に吸引、加圧、圧送する２つのポンプと、これらのポンプの出側経路を合流させる合流空間を区画形成するとともにその押し込み及び復帰動作を繰り返してポンプを作動させて各排出経路を経た内容物と外気をそれぞれ合流空間内で混合、発泡させて外界に噴出させるノズル付きの押圧ヘッドとを備えたフォーマーディスペンサであって、
前記ポンプのうち、外気を吸引、加圧、圧送するポンプは、内容物を吸引、加圧、圧送するポンプに一体的につながってそれらとともに単一のシリンダを形成する大径筒部と、この大径筒部の内側に配置され押圧ヘッドの押し込みとその復帰動作に合わせて摺動するエアーピストンとを備え、
該エアーピストンの基部の少なくとも１箇所に、サイズの小さな孔を複数集合させ押圧ヘッドの復帰動作に際して大径筒部内に外気を導入する細孔群体を設けたことを特徴とするフォーマーディスペンサである。
【０００８】
上記の構成になるフォーマーディスペンサにおいてサイズの小さな孔はレーザーによって穿孔されたもの、あるいは金型によって直接形成されたものが好ましい。
【０００９】
また、細孔群体はメッシュの溶着体若しくはメッシュを保持し開口部において固定されるアタッチメントからなるものがとくに有利に適合する。
【００１０】
【発明の実施の形態】
以下、図面を用いて本発明をより具体的に説明する。
【００１１】
図１は本発明に従うフォーマーディスペンサの実施の形態を示したものであり、図における１は内容物を収納する容器、２は容器１の口部１ａにねじ止めによって固定保持される例で示したベースキャップ、３はベースキャップ２の下面に垂下され容器１内の内容物と外気をそれぞれ個別に吸引、加圧、圧送するポンプである。
【００１２】
ポンプ３は、容器１内の内容物を吸引する吸引管ｐに連結する開口ｈを有する小径筒部３ａと、この小径筒部３ａに直列一体的につながる大径筒部３ｂとからなる単一のシリンダｓを有しており、シリンダｓの小径筒部３ａには、その内部において摺動可能なピストン３ｃと、このピストン３ｃを弾性支持するスプリング３ｄと、下部先端が吸込み弁体を兼ねるポペット３ｅと、先端でポペット３ｅ及びピストン３ｃを押圧する中空ステム３ｆが配置されており、これらの部材によって内容物の吸引、加圧、圧送機構が構成されている。
【００１３】
また、大径筒部３ｂには、中空ステム３ｆの移動開始と若干の時間遅れをもって移動を開始するとともに該中空ステム３ｆの移動に合わせてその内部で移動可能なエアーピストン３ｇが配置されていて、これによって外気の吸引、加圧、圧送機構が構成される。
【００１４】
小径筒部３ａにおいて吸引、加圧された内容物は図中の矢印Ｌに従ってポンプ３の出側（中空ステム３ｆの最上端）に排出される一方、大径筒部３ｂにおいて吸引、加圧された外気（空気）は図中矢印Ｌ１に従ってポンプ３の出側に排出される。
【００１５】
４はエアーピストン３ｇの基部の４箇所に設けられ大径筒部３ｂ内に外気を導入する細孔群体であり、この細孔群体４はその要部を拡大して図２（ａ）〜（ｄ）に示すようにサイズの小さな孔４ａを複数集合させたものからなっている。
【００１６】
また、５はノズル付きの押圧ヘッドである。この押圧ヘッド５は中空ステム３ｆの後端とエアーピストン３ｇの後端部に接触してそれらの押圧を可能とするとともにノズルと中空ステム３ｆを相互につなぐ通路内に内容物と外気の合流空間を形成する中空ロッド５ａが備えられている。
【００１７】
６は押圧ヘッド５の中空ロッド５ａ内に配置されたジェットリング、７はジェットリング６に隣接配置され内容物を外気と混在させて発泡させるメッシュリング（発泡部材）である。
【００１８】
図３（ａ）〜（ｄ）は一般的なフォーマーディスペンサに組み込まれるエアーピストンの要部について示したものであり、通常、外気導入用の開口８は図示のように比較的大きなサイズ（１ｍｍ×４ｍｍ程度）で開放されており、外気を吸収する際等にこの開口８から異物が侵入しピストンとシリンダの内壁の相互間に噛み込まれシール性が劣化して液漏れを起こしたり、外気の排気量が変化することにより外気と液との所定混合量が得られず内容物の発泡形態に悪影響を与えるおそれがある。
【００１９】
本発明ではエアーピストン３ｇにサイズの小さな孔４ａ（径にして１ｍｍ以下、より好ましくは０．４ｍｍ以下）を複数集合させた細孔群体４を設けてこれをフィルターとして外気を導入するようにしたのでゴミ等の異物の侵入は阻止される。
【００２０】
細孔群体４を形成する孔４ａはレーザーによる孔加工で設けることができるが、図４（ａ）〜（ｄ）、図５（ａ）〜（ｄ）に示すように、エアーピストン３ｇを成形する際に金型により直接成形するものであってもよい。
【００２１】
また、細孔群体４は図６（ａ）〜（ｄ）に示すようにメッシュ９をエアーピストン３ｇの基部に溶着させた溶着体にて構成してもよいし、図７（ａ）〜（ｄ）に示すようにメッシュ９を保持しエアーピストン３ｇの開口部に固定されるリング状のアタッチメント１０にて構成してもよく、この点については限定されない。
【００２２】
上掲図１〜７に示した例はエアーピストン３ｇの基部の天面に細孔群体４を設けた場合を示したが、図８（ａ）〜（ｄ）に示すようにエアーピストン３ｇの基部の側面に設けることもでき、サイズの小さな孔を複数設けた細孔群体とする他に図示のようなリブｔを間隔を開けて複数配置したスリットとしてもよい。
【００２３】
【発明の効果】
本発明によれば、外気を取り入れる開口からの異物の侵入を防止できるので、該異物に起因したシール性の低下や液漏れ、泡の形態不良等を確実に回避できる。
【図面の簡単な説明】
【図１】本発明に従うフォーマーディスペンサの実施の形態を示した図である。
【図２】（ａ）〜（ｄ）はエアーピストンの要部を示した図である。
【図３】（ａ）〜（ｄ）は従来のディスペンサに組み込まれているエアーピストンの要部を示した図である。
【図４】（ａ）〜（ｄ）は本発明に従うディスペンサに組み込まれたエアーピストンの他の例を示した図である。
【図５】（ａ）〜（ｄ）は本発明に従うディスペンサに組み込まれたエアーピストンの他の例を示した図である。
【図６】（ａ）〜（ｄ）は本発明に従うディスペンサに組み込まれたエアーピストンの他の例を示した図である。
【図７】（ａ）〜（ｄ）は本発明に従うディスペンサに組み込まれたエアーピストンの他の例を示した図である。
【図８】（ａ）〜（ｄ）は本発明に従うディスペンサに組み込まれたエアーピストンの他の例を示した図である。
【符号の説明】
１  容器
１ａ  口部
２  ベースキャップ
３  ポンプ
３ａ  小径筒部
３ｂ  大径筒部
３ｃ  ピストン
３ｄ  スプリング
３ｅ  ポペット
３ｆ  中空ステム
３ｇ  エアーピストン
４  細孔群体
５  押圧ヘッド
５ａ  中空ロッド
６  ジェットリング
７  メッシュリング
８  開口
９  メッシュ
１０  アタッチメント
【図１】
2005013945.tif 000003
【図２】
2005013945.tif 000004
【図３】
2005013945.tif 000005
【図４】
2005013945.tif 000006
【図５】
2005013945.tif 000007
【図６】
2005013945.tif 000008
【図７】
2005013945.tif 000009
【図８】
2005013945.tif 000010